(57)【要約】【課題】水道水を噴霧することなく且つ高価格にならずに排便時の悪臭発生を抑制できる便座装置及び消臭液投入装置を提供する。【解決手段】便座支持本体部５に、消臭液が充填される容器１０が収容される容器収容部５３と、便器１のボウル部に向けて設けられる消臭液投入ノズル５２と、収容された上記容器１０の液出口部が装着される受け部５４と、上記受け部５４で受け取った消臭液を上記消臭液投入ノズル５２に導いてこの消臭液投入ノズル５２から上記消臭液を上記ボウル部に滴下又は噴出させる消臭液送りパイプ５５と、を設けた。【選択図】図２
2012026098.tif 000002
【特許請求の範囲】
【請求項１】
便器に設けられる便座装置であって、消臭液が充填される容器が収容される容器収容部と、この容器収容部に収容された上記容器内の上記消臭液を上記便器のボウル部に滴下又は噴出する消臭液投入手段と、を備えたことを特徴とする便座装置。
【請求項２】
請求項１に記載の便座装置において、上記消臭液投入手段は上記消臭液の滴下又は噴出のための電動動作部を備えたことを特徴とする便座装置。
【請求項３】
請求項２に記載の便座装置において、人が便座部に着座したことを検出する着座センサを備え、この着座センサにて着座を検出したときに上記電動動作部を動作させて上記消臭液を滴下又は噴出させることを特徴とする便座装置。
【請求項４】
請求項２に記載の便座装置において、人が便器に近づいたことを検出する人検知センサを備え、この人検知センサにて人を検出したときに上記電動動作部を動作させて上記消臭液を滴下又は噴出させることを特徴とする便座装置。
【請求項５】
請求項１に記載の便座装置において、人が便器に近づいたことを検出する人検知センサと、この人検知センサにて人の接近を検出したときに自動的に蓋を開く駆動部と、を備え、上記消臭液投入手段は上記駆動部による駆動力を利用して上記消臭液を滴下又は噴出させることを特徴とする便座装置。
【請求項６】
請求項１に記載の便座装置において、上記消臭液投入手段は、回動軸を有する蓋を人が開くときの上記回動軸の駆動力を使用して上記消臭液を滴下又は噴出させることを特徴とする便座装置。
【請求項７】
請求項１に記載の便座装置において、上記消臭液投入手段は、上記容器収容部に形成された外部操作開口と、上記便器のボウル部に向けて設けられるノズル部と、収容された上記容器内の消臭液出口部が装着される受け部と、上記受け部で受け取った消臭液を上記ノズル部に導いてこのノズル部から上記消臭液を上記ボウル部に滴下又は噴出する消臭液送り部と、から成ることを特徴とする便座装置。
【請求項８】
請求項１〜請求項７のいずれか１項に記載の便座装置において、上記の消臭液は水面に膜を形成して臭いを閉じ込める膜形成消臭液であることを特徴とする便座装置。
【請求項９】
便座装置に後付けされる消臭液投入装置であって、消臭液が充填される容器が収容される容器収容部と、上記便器のボウル部に向けて設けられるノズル部と、収容された上記容器内の消臭液出口部が装着される受け部と、上記受け部で受け取った消臭液を上記ノズル部に導いてこのノズル部から上記消臭液を上記ボウル部に滴下又は噴出する消臭液送り部と、を備え、上記の容器収容部にはここに収容された容器を外部に露呈させる外部操作開口が形成されており、この外部操作開口を介して人が上記容器を操作できることを特徴とする消臭液投入装置。
【請求項１０】
請求項９に記載の消臭液投入装置において、上記の消臭液は水面に膜を形成して臭いを閉じ込める膜形成消臭液であることを特徴とする消臭液投入装置。
【発明の詳細な説明】
【技術分野】
【０００１】
この発明は、排便時の悪臭発生を抑制できる便座装置及び既存の便座装置に後付けできる消臭液投入装置に関する。
【背景技術】
【０００２】
下記特許文献１は、排便時の悪臭発生を抑制するために、人の着座を検出したときに水道管からの水を、便器のボウル内の水たまりに向けて噴霧する装置を提案している。また、下記特許文献２は、洗浄水を泡状にして便器のボウル内に導くことを提案している。
【先行技術文献】
【特許文献】
【０００３】
【特許文献１】特開平５−１７９８６号公報
【特許文献２】特開２００７−３１４９７３号公報
【発明の開示】
【発明が解決しようとする課題】
【０００４】
しかしながら、上記特許文献１の装置では、水道管からの水を便器のボウル内の水たまりに向けて噴霧するため、このように噴霧される水（霧）が人の肌に触れる可能性がある。また、上記特許文献２の装置では、洗浄水を泡状にするためのエアポンプなどから成る微細泡粒発生装置を備えることになり、便座装置の価格が割高になる。
【０００５】
この発明は、上記事情に鑑み、水道水を噴霧することなく且つ高価格にならずに排便時の悪臭発生を抑制できる便座装置及び消臭液投入装置を提供することを課題とする。
【課題を解決するための手段】
【０００６】
この発明の消臭液投入装置は、上記の課題を解決するために、便器に設けられる便座装置であって、消臭液が充填される容器が収容される容器収容部と、この容器収容部に収容された上記容器内の上記消臭液を上記便器のボウル部に滴下又は噴出する消臭液投入手段と、を備えたことを特徴とする。
【０００７】
上記の構成であれば、消臭液を便器のボウル部に滴下又は噴出するものとなり、水道管からの水を便器のボウル内の水たまりに向けて噴霧するものではないから、この噴霧された水（霧）が人の肌や衣類に触れるといったことは無くなる。また、洗浄水を泡状にするための微細泡粒発生装置を備える必要もないので低価格化が図れる。
【０００８】
上記の便座装置において、上記消臭液投入手段は上記消臭液の滴下又は噴出のための電動動作部を備えてもよい。これによれば、人の操作によらずに消臭液を投入することが可能となる。
【０００９】
上記電動動作部を備える便座装置において、人が便座部に着座したことを検出する着座センサを備え、この着座センサにて着座を検出したときに上記電動動作部を動作させて上記消臭液を滴下又は噴出させることとしてもよい。
【００１０】
また、上記電動動作部を備える便座装置において、人が便器に近づいたことを検出する人検知センサを備え、この人検知センサにて人を検出したときに上記電動動作部を動作させて上記消臭液を滴下又は噴出させることとしてもよい。
【００１１】
また、上記の便座装置において、人が便器に近づいたことを検出する人検知センサと、この人検知センサにて人の接近を検出したときに自動的に蓋を開く駆動部と、を備え、上記消臭液投入手段は上記駆動部による駆動力を利用して上記消臭液を滴下又は噴出させてもよい。
【００１２】
また、上記の便座装置において、上記消臭液投入手段は、回動軸を有する蓋を人が開くときの上記回動軸の駆動力を使用して上記消臭液を滴下又は噴出させることとしてもよい。
【００１３】
また、上記の便座装置において、上記消臭液投入手段は、上記容器収容部に形成された外部操作開口と、上記便器のボウル部に向けて設けられるノズル部と、収容された上記容器内の消臭液出口部が装着される受け部と、上記受け部で受け取った消臭液を上記ノズル部に導いてこのノズル部から上記消臭液を上記ボウル部に滴下又は噴出する消臭液送り部と、から成るものでもよい。かかる構成であれば、上記容器収容部に収容された容器を外部から手動押圧することで上記消臭液を上記便器のボウル部に滴下又は噴出させることができる。
【００１４】
また、この発明の消臭液投入装置は、便座装置に後付けされる消臭液投入装置であって、消臭液が充填される容器が収容される容器収容部と、上記便器のボウル部に向けて設けられるノズル部と、収容された上記容器内の消臭液出口部が装着される受け部と、上記受け部で受け取った消臭液を上記ノズル部に導いてこのノズル部から上記消臭液を上記ボウル部に滴下又は噴出する消臭液送り部と、を備え、上記の容器収容部にはここに収容された容器を外部に露呈させる外部操作開口が形成されており、この外部操作開口を介して人が上記容器を操作できることを特徴とする。
【００１５】
かかる構成も、消臭液をボウル部に滴下又は噴出するものとなり、水道管からの水を便器のボウル内の水たまりに向けて噴霧するものではないから、この噴霧された水（霧）が人の肌に触れるといったことが無くなる。また、洗浄水を泡状にするための微細泡粒発生装置を備える必要もないので低価格化が図れる。
【００１６】
これらの構成において、上記の消臭液は水面に膜を形成して臭いを閉じ込める膜形成消臭液であるのがよい。このような消臭液は１滴から数滴（１〜１０滴程度）が便器ボウル部の水たまりに滴下されれば十分であるので、上記のような便座装置や消臭液投入装置において用いると好適である。
【発明の効果】
【００１７】
本発明であれば、排便時の悪臭発生を抑制することにおいて、噴霧された水（霧）が人の肌に触れるといったことが無く、また、洗浄水を泡状にするための微細泡粒発生装置を備える必要もないので低価格化が図れるという効果を奏する。
【図面の簡単な説明】
【００１８】
【図１】本発明の実施形態の便座装置が装着された便器を示した斜視図である。
【図２】図１に示した便座装置の内部構造を示した説明図である。
【図３】図２の便座装置の制御系を示したブロック図である。
【図４】他の実施形態の便座装置の内部構造を示した説明図である。
【図５】図４の便座装置の制御系を示したブロック図である。
【図６】他の実施形態の便座装置の内部構造を示した説明図である。
【図７】図６の便座装置の制御系を示したブロック図である。
【図８】他の実施形態の便座装置の内部構造を示した説明図である。
【図９】図８の便座装置の制御系を示したブロック図である。
【図１０】他の実施形態の便座装置（消臭液投入装置）の外部の構造を示した説明図である。
【図１１】図１０の便座装置（消臭液投入装置）の横断面図である。
【発明を実施するための最良の形態】
【００１９】
次に、この発明の実施形態に係る便座装置及び消臭液投入装置を添付図面に基づいて具体的に説明する。なお、本発明に係る便座装置及び消臭液投入装置は、下記の実施形態に示したものに限定されず、その要旨を変更しない範囲において適宜変更して実施できるものである。
【００２０】
図１に示すように、便器１の上部に便座装置２が装着されている。便座装置２は、便座３と蓋４と便座支持本体部５とを備えてなる。便座３及び蓋４は便座支持本体部５に設けられた軸によって回動自在に設けられている。便座３及び蓋４は同心に設けられた軸で支持されていてもよいし、別々の位置に設けられた軸によって支持されていてもよい。更に、便座支持本体部５には、一般的な機能である、洗浄機構、温風機構などが設けられ、また、各機構を制御するコントローラ（図３等参照）が設けられる。更に、便座支持本体部５は、人検知センサ６０と、人の接近を検知したときに上記蓋４を自動的に開け、人が検知されなくなったときに蓋４を自動的に閉じる蓋開閉装置５８（図９参照）を備えている。また、便座装置２は、人が便座３に着座したときに例えばその重みでスイッチ動作する着座センサ６１を備えている。
【００２１】
また、上記便座支持本体部５の下面側には、上記洗浄機構における洗浄ノズル５１が便器１のボウル部１aに臨むように設けられている。そして、上記洗浄ノズル５１の近傍位置には消臭液投入ノズル５２が設けられている。
【００２２】
図２に示すように、上記の便座支持本体部５には、消臭液が充填される容器１０が収容される容器収容部５３と、上記便器１のボウル部１ａに向けて設けられる上記の消臭液投入ノズル５２と、下向きに収容された上記容器１０の液出口部が装着される受け部５４と、上記受け部５４で受け取った消臭液を上記消臭液投入ノズル５２に導いてこの消臭液投入ノズル５２から上記消臭液を上記ボウル部１ａに滴下又は噴出する（滴下又は噴出を含む表現として吐出を用いることがある）消臭液送りパイプ５５と、が備えられている。ここでは、上記消臭液送りパイプ５５の切断先端箇所が上記の消臭液投入ノズル５２を成す。
【００２３】
便座支持本体部５における上記受け部５４には、上記消臭液を上記消臭液投入ノズル５２から滴下又は噴出させる電動動作部７０が設けられている。この電動動作部７０は圧電素子を用いた液滴投入装置であり、この装置内の図示しない圧力室に上記受け部５４を介して上記容器１０から消臭液を導き、上記圧力室に設けた圧電素子に通電することで圧力室内の容積を縮小変化させ、この圧力室内の消臭液を上記消臭液送りパイプ５５に送り込む。このような液滴投入装置はインク液の投入などにも用いられているものである。上記容器収容部５３には蓋部５６が設けられており、この蓋部５６を開けて上記容器１０を容器収容部５３に装填することができる。上記の容器１０は例えばスクイーズ容器であり、消臭液が出ていった分の空気の入り込みがなくてもよいようになっている。もちろん、上記の容器１０として例えば硬質のプラスチック容器を用い、消臭液が出ていった分の空気が容器１０内に入り込むようにしてもよい。例えば、上記プラスチック容器の底部（容器収容部５３内では上部となる）に空気導入用の微小な貫通孔及びこの貫通孔を塞ぐ栓を設けておき、この容器１０を容器収容部５３にセットするときに上記栓を取り外すようにしてもよい。
【００２４】
図３に示すように、コントローラ６３は上記着座センサ６１からの信号を入力し、上記電動動作部７０の圧電素子７０ａに対する電圧の印加と非印加を制御する。具体的には、このコントローラ６３は、上記着座センサ６１から人検知を示す信号を入力すると、上記電動動作部７０の圧電素子７０ａに電圧を印加し、上記圧力室の容積を縮小変化させる。また、コントローラ６３には手動スイッチ６４が接続されており、この
手動スイッチ６４に対する操作を検知したときも、コントローラ６３は上記電動動作部７０の圧電素子７０ａに電圧を印加し、上記電動動作部７０の圧力室の容積を縮小変化させる。上記の容器１０の交換初期時には、ユーザは上記手動スイッチ６４を操作し、容器１０内の消臭液が上記消臭液投入ノズル５２に至るようにする。また、このような交換初期以外でも、消臭液の滴下量が少ないと感じるユーザは追加の消臭液滴下のために上記手動スイッチ６４を操作することができる。
【００２５】
１回の消臭液使用量は、１〜１０滴程度を想定している。１滴は約０．０３ｍｌ〜０．０５ｍｌであるとする。上記圧電素子７０ａの１回の振動による吐出量が例えば０．００４ｍｌであるのなら、消臭液を１滴分使用するときには、上記圧電素子７０ａを１０回振動させればよい。
【００２６】
上記消臭液は、１〜１０滴程度の滴下で便臭や尿臭の消臭効果を発揮できる消臭液であればよいのであるが、特に、この実施形態では、水面に膜を形成して臭いを閉じ込める膜形成消臭液を用いている。この膜形成消臭液としては、例えば、界面活性剤を成分とするもの、プロピレングリコール等のアルコール類を成分とするもの、植物抽出油を成分とするものなどを用いることができる。なお、臭いを完全に閉じ込めることを意味するわけではなく、膜が全くない場合に比べて便器ボウル部の水たまりから便臭が出てくるのを抑制できるものであればよい。また、このような膜形成消臭液を用いる場合、膜形成消臭液がボウル部の面に付着してしまうよりも、ボウル部の水たまりに投下されるように液投入位置が設定されているのが望ましい。以下の実施形態においても同様である。
【００２７】
なお、上記の例では、上記着座センサ６１で人の着座を検出したときに消臭液を投入するようにしたが、人検知センサ６０によって人の接近を検出したときに消臭液を投入するようにしてもよい。
【００２８】
また、電動動作部７０（圧電素子を用いた液滴投入装置）を便器ボウル側に近づけて配置することで、消臭液送りパイプ５５及び消臭液投入ノズル５２を設けない構成とすることもできる。この構成の場合、電動動作部７０自体の液吐出部がノズルとなって消臭液が吐出される。便座支持本体部５の下面に開口を形成しておいて、この開口から上記の吐出された消臭液を便器ボウル部に投入するようにすればよい。容器収容部５３及び受け部５４の位置を変えない場合、受け部５４から電動動作部７０に至る液送りパイプを設ければよい。
【００２９】
次に、他の実施形態を図４及び図５に基づいて説明していく。容器１０内の消臭液は受け部５４から消臭液送りパイプ５５に供給されるようにしてある。上記の消臭液送りパイプ５５には上記消臭液を消臭液投入ノズル５２から滴下又は噴出させる電動動作部７１が設けられている。この電動動作部７１は、電磁ソレノイド７１ａを用いてピストン部７１ｂを駆動する液滴投入装置である。具体的には、ピストン部７１ｂを電磁ソレノイド７１ａにて下方に押し込んで上記消臭液送りパイプ５５内を加圧すると、この加圧によって上記消臭液送りパイプ５５内の消臭液が上記消臭液投入ノズル５２から吐出される。一方、ピストン部７１ｂを電磁ソレノイド７１ａにて上方に上げると、容器１０内の消臭液が消臭液送りパイプ５５内に導入される。逆流防止弁７１ｃは、上記加圧の際に消臭液が容器１０の方に押しやられるのを防止し、また、非加圧の際に上記消臭液投入ノズル５２から空気が入り込むのを防止する。
【００３０】
図５に示すように、コントローラ６３は着座センサ６１からの信号を入力し、上記電動動作部７１の電磁ソレノイド７１ａに対する電圧の印加と非印加を制御する。具体的には、このコントローラ６３は、上記着座センサ６１から人検知を示す信号を入力すると、上記電動動作部７１の電磁ソレノイド７１ａに電圧を印加し、ピストン部７１ｂを下方に移動させて上記消臭液送りパイプ５５内の容積を縮小変化させ、その後に電圧を非印加とし、ピストン部７１ｂを上方に移動させる。すなわち、ピストン部７１ｂを１往復動作させることで消臭液が便器ボウル部に投入される。なお、コントローラ６３には手動スイッチ６４が接続されており、この手動スイッチ６４に対する操作を検知したときも、コントローラ６３は上記電動動作部７０の電磁ソレノイド７１ａへの電圧の印加と非印加を行い、ピストン部７１ｂを１往復動作させる。上記の容器１０の交換初期時には、ユーザは上記手動スイッチ６４を操作し、容器１０内の消臭液が上記消臭液投入ノズル５２に至るようにする。また、このような交換初期以外でも、消臭液の滴下量が少ないと感じるユーザは追加の消臭液滴下のために上記手動スイッチ６４を操作することができる。
【００３１】
先にも述べたが、１回の消臭液使用量は、１〜１０滴程度を想定している。１滴は約０．０３ｍｌ〜０．０５ｍｌであるとする。上記消臭液投入ノズル５２の開口径によっても１滴の量は変化する。上記ピストン部７１ｂの１往復による吐出量が例えば０．１２ｍｌであるのなら、消臭液を３滴分使用するときには、上記ピストン部７１ｂの１往復させればよいことになる。なお、上記ピストン部７１ｂの移動速度が速い場合には、１〜１０滴程度の消臭液は滴下せずに一続きの液すじとなって噴出することになる。また、このような一続きの液すじではなくて、通常の液滴よりも微細な粒となって噴出することもある。電磁ソレノイド７１ａとピストン部７１ｂとの間にバネを介在させることでピストン部７１ｂの動作速度を遅くすることも可能である。
【００３２】
次に、他の実施形態を図６及び図７に基づいて説明していく。容器収容部５３は斜めに形成されており、この容器収容部５３に下向きに収容される容器１０の液出口部が便器ボウル部上に位置するようにしている。容器収容部５３の底部には容器１０の液出口部を下方に露出させる開口が形成されている。この実施形態で用いる容器１０は、変形可能且つ復元可能な容器としている。また、便座支持本体部５の下面であって、上記収容された容器１０の液出口部に対応する位置に消臭液投入開口５７が形成されている。上記容器収容部５３の壁の一部は切りかかれて上記容器１０の側部が露呈されるようになっており、この露呈箇所の近傍に消臭液の滴下又は噴出のための電動動作部７２が設けられている。この電動動作部７２は、上記露呈箇所から上記容器１０の押圧と非押圧とが行えるように設けられた偏心カム７２ａをモーター７２ｂで駆動する。上記偏心カム７２ａの押圧による容器１０の容積縮小によって容器１０内の消臭液が上記液出口部から出て上記消臭液投入開口５７から便器ボウル部の水たまりに投入されることになる。一方、上記偏心カム７２ａによる押圧が無くなると上記容器１０は元の形状に復元し、この復元力によって容器１０の上記液出口部から空気が容器１０内に入り込むことになる。また、上記電動動作部７２には上記偏心カム７２ａの回転を検出する回転検出器７２ｃが設けられている。この回転検出器７２ｃは、例えば、上記偏心カム７２ａに設けられた磁力発生部７２ｄと、この磁力発生部７２ｄを検出するホール素子部７２ｅとから成り、上記偏心カム７２ａの１回転を検出できるようになっている。もちろん、このような磁気ではなく、光等を用いて上記偏心カム７２ａの１回転を検出することもできる。
【００３３】
図７に示すように、コントローラ６３は着座センサ６１からの信号を入力し、上記電動動作部７２のモーター７２ｂの駆動と非駆動を制御する。具体的には、このコントローラ６３は、上記着座センサ６１から着座を示す信号を入力すると、上記電動動作部７２のモーター７２ｂを駆動し、上記偏心カム７２ａを１回転させる。回転する上記偏心カム７２ａは、上記の変形可能且つ復元可能な容器１０の側部を押圧し、その後にこの側部から離間することになる。なお、コントローラ６３には手動スイッチ６４が接続されており、この手動スイッチ６４に対する操作を検知したときも、コントローラ６３は上記電動動作部７２の上記偏心カム７２ａを１回転させる。
【００３４】
先にも述べたが、１回の消臭液使用量は、１〜１０滴程度を想定している。１滴は約０．０３ｍｌ〜０．０５ｍｌであるとする。上記偏心カム７２ａが１回転することによる吐出量が例えば０．１２ｍｌであるのなら、消臭液を３滴分使用するときには、上記偏心カム７２ａを１回転させればよいことになる。なお、上記偏心カム７２ａの回転速度が速い場合には、消臭液は滴下せずに一続きの液すじとなって噴出することになる。また、このような一続きの液すじではなくて、通常の液滴よりも微細な粒となって噴出することもある。なお、上記のモーター７２ｂ及び上記偏心カム７２ａに代えて、電磁ソレノイドを用いて上記容器１０を押すこととしてもよい。また、上記電磁ソレノイドと上記容器１０との間にバネを介在させることで上記容器１０に対する押圧速度を遅くすることも可能である。
【００３５】
次に、他の実施形態を図８及び図９に基づいて説明していく。容器収容部５３は斜めに形成されており、ここに下向きに収容される容器１０の液出口部が便器ボウル部上に位置するようにしている。容器収容部５３の底部には容器１０の液出口部を下方に露呈させる開口が形成されている。この実施形態で用いる容器１０は、変形可能且つ復元可能な容器としている。また、便座支持本体部５の下面であって、上記収容された容器１０の液出口部に対応する位置に消臭液投入開口５７が形成されている。上記容器収容部５３の壁の一部は切りかかれて上記容器１０の側部が露呈されるようになっており、この露呈箇所の近傍位置に消臭液の滴下又は噴出のための電動動作部７３が設けられている。
【００３６】
この電動動作部７３は、上記露呈箇所から上記容器１０に対する押圧と非押圧とが行えるように円弧部を有した扇形部材７３ａを、蓋４の回動動作に伴って回動する回動軸４ａによって回動する。上記蓋４が閉じられた状態では、上記の扇形部材７３ａの円弧部は上記容器１０から離間した位置にある。一方、上記蓋４が開けられた状態では、上記の扇形部材７３ａの円弧部は上記露呈箇所から上記容器１０の側部を押圧するように位置する。この押圧による容器１０の容積縮小によって容器１０内の消臭液が容器１０から出て上記消臭液投入開口５７から便器ボウル部の水たまりに投入されることになる。一方、上記の扇形部材７３ａによって容器１０が押圧されないときには容器１０はその形状を復元し、この復元力によって容器１０の上記液出口部から空気が容器１０内に入り込むことになる。
【００３７】
図９に示すように、コントローラ６３は人検知センサ６０からの信号を入力し、蓋開閉装置５８の動作を制御する。具体的には、コントローラ６３は、人検知センサ６０から人検知の信号を入力すると、蓋開閉装置５８のモーターを駆動して蓋４を開け、人検知センサ６０から人の非検知を示す信号を入力すると、蓋開閉装置５８のモーターを駆動して蓋４を閉じる。このように蓋開閉装置５８が動作することによって上記回動軸４ａが回動し、この回動によって扇形部材７３ａが回動する。
【００３８】
先にも述べたが、１回の消臭液使用量は、１〜１０滴程度を想定している。１滴は約０．０３ｍｌ〜０．０５ｍｌであるとする。そして、ここでは、上記蓋４の開動作で扇形部材７３ａが回動することによる消臭液の吐出量を例えば０．１２ｍｌとしている。
【００３９】
上記の例では、蓋開閉装置５８によって電動で蓋４が開閉される場合を説明したが、手動で蓋４が開閉される場合でも、この蓋４の開動作で扇形部材７３ａを回動させる構成とすれば、この手動の蓋開閉でも容器１０から消臭液を吐出させることができる。
【００４０】
次に、他の実施形態を図１０及び図１１に基づいて説明していく。便座支持本体部５の外側の側面に外付け容器収容部５３Ａが取り付けられている。また、この実施形態で用いる容器１０は、変形可能且つ復元可能な容器としている。上記外付け容器収容部５３Ａには、収容された上記容器１０の液出口部が装着される受け部５４が形成されており、この受け部５４には、上記受け部５４で受け取った消臭液を消臭液投入ノズル５２に導いてこの消臭液投入ノズル５２から上記消臭液を便器ボウル部に滴下又は噴出する消臭液送りパイプ５５が取り付けられている。上記の消臭液送りパイプ５５は便座支持本体部５の脇を通り、便器１の上面と便座３の下面との間を通り、その先端（消臭液投入ノズル５２）が上記の便器ボウル部に向けられるようにセットされる。また、外付け容器収容部５３Ａには接着シート５９が設けられており、この接着シート５９によって外付け容器収容部５３Ａが便座支持本体部５の外側の側面に取り付けられる。
【００４１】
そして、外付け容器収容部５３Ａにはここに収容された変形可能且つ復元可能な容器１０を外部に露呈させる外部操作開口部５３Ａａが形成されており、この外部操作開口部５３Ａａを介して人が上記容器１０を押圧操作し、容器１０内の消臭液を便器ボウル部に滴下させることができる。
【００４２】
上記の外付け容器収容部５３Ａと、受け部５４と、消臭液送りパイプ５５と、消臭液投入ノズル５２（消臭液送りパイプ５５の端面開口が消臭液投入ノズル５２を兼ねる場合もある）とからなるセットを、消臭液投入装置として便器とは別売りすることも可能である。この場合、上記の接着シート５９には剥離紙を装着しておく。
【００４３】
なお、容器１０を直接手に持って消臭液を便器のボウル部の水たまりに滴下する場合には、手を滑らせて容器１０を便器に落としてしまうおそれがあるが、容器１０を容器収容部にセットして用いる構成であれば、このような落下の心配は無くなる。
【符号の説明】
【００４４】
１      便器
２      便座装置
３      便座
４      蓋
５      便座支持本体部
５２    消臭液投入ノズル
５３    容器収容部
５３Ａ  外付け容器収容部
５３Ａａ  外部操作開口部
５４    受け部
５５    消臭液送りパイプ
５７    消臭液投入開口
６０    人検知センサ
６１    着座センサ
６３    コントローラ
６４    手動スイッチ
７０，７１，７２，７３    電動動作部
【図１】
2012026098.tif 000003
【図２】
2012026098.tif 000004
【図３】
2012026098.tif 000005
【図４】
2012026098.tif 000006
【図５】
2012026098.tif 000007
【図６】
2012026098.tif 000008
【図７】
2012026098.tif 000009
【図８】
2012026098.tif 000010
【図９】
2012026098.tif 000011
【図１０】
2012026098.tif 000012
【図１１】
2012026098.tif 000013